(57)【要約】【課題】従来のランプソケットにも適合可能であってトラッキングの発生を抑制可能な環形ランプ用口金およびこの口金を有する環形蛍光ランプを提供する。【解決手段】環形ランプ用口金１５は、第１および第２の接続ピン４，４の中間の口金部材２の外面に形成された第１の凹部１６と、接続ピン４間であって一方の口金部材２の略中間部に形成されているとともに、底面１７ｂに接続ピン４側からねじ１８が挿入される挿入孔１９が設けられ、この挿入孔１９にねじ１８が挿入されたときにねじ１８の頭部１８ａが第１の凹部１６の底面１６ｂよりも口金部材２の内方に位置する深さを有している第２の凹部１７と、一対の口金部材２，３を結合させるねじ１８を具備する。【選択図】図６
2007103100.tif 000002
【特許請求の範囲】
【請求項１】
それぞれ半筒状体からなる樹脂製の一対の口金部材と；
一方の口金部材の外面にそれぞれ突設され、環形バルブの一端部から導出されているリード線に接続される第１の接続ピンおよび環形バルブの他端部から導出されているリード線に接続される第２の接続ピンと；
第１および第２の接続ピンの中間の口金部材の外面に形成された凹部と；
一対の口金部材が着脱自在に結合されるように一対の口金部材にそれぞれ設けられた係止部および被係止部からなる結合手段と；
を具備していることを特徴とする環形ランプ用口金。
【請求項２】
それぞれ半筒状体からなる樹脂製の一対の口金部材と；
一方の口金部材の外面にそれぞれ突設され、環形バルブの一端部から導出されているリード線に接続される第１の接続ピンおよび環形バルブの他端部から導出されているリード線に接続される第２の接続ピンと；
第１および第２の接続ピンの中間の口金部材の外面に形成された第１の凹部と；
接続ピン間であって一方の口金部材の略中間部に形成されているとともに、底面に接続ピン側からねじが挿入される挿入孔が設けられ、この挿入孔にねじが挿入されたときにねじの頭部が第１の凹部の底面よりも口金部材の内方に位置する深さを有している第２の凹部と；
一対の口金部材が結合されるときに前記挿入孔に対向するねじ孔を有して他方の口金部材の内面に突設された凸部と；
接続ピン側から前記挿入孔に挿入され凸部のねじ孔に螺合して一対の口金部材を結合させるねじと；
を具備していることを特徴とする環形ランプ用口金。
【請求項３】
請求項１または２記載の環形ランプ用口金と；
この環形ランプ用口金が両端部に跨るようにして配設され、両端部からそれぞれ電極に電気的に接続されているリード線が導出されている環形バルブと；
を具備していることを特徴とする環形蛍光ランプ。
【発明の詳細な説明】
【技術分野】
【０００１】
本発明は、環形バルブの両端部に配設される環形ランプ用口金およびこの環形ランプ用口金を有する環形蛍光ランプに関する。
【背景技術】
【０００２】
環形蛍光ランプ用の口金は、環形バルブの両端部に跨って取付けられる中空の略筒状体から構成され、さらに、略筒状体をそれぞれ半筒状体に２分割した一対の口金部材からなっている。そして、一方の口金部材の接続ピンで包囲される外表面の中央部にねじの挿通孔が形成され、他方の口金部材に前記挿通孔に対向するねじ孔が形成され、ねじを前記挿通孔に挿通して前記ねじ孔にねじ込むことによって、一対の口金部材同士を結合させている口金が利用に供されている（例えば、特許文献１参照。）。
【０００３】
近年、環形バルブの管径が小さくなっており、加えて、高出力蛍光ランプとして放電路長（発光長）が大きくなっている。このため、接続ピン間に印加される蛍光ランプの始動電圧およびランプ電圧が大きくなっている。そして、口金の接続ピン間の外表面に、水滴や塵などが付着していると、接続ピン間の絶縁性が低下して、前記始動電圧およびランプ電圧が印加されたときに接続ピン間の外表面にトラッキングが発生することがあった。
【特許文献１】特開２００３−２９７２２７号公報（第３頁、第３図）
【発明の開示】
【発明が解決しようとする課題】
【０００４】
特許文献１の口金は、接続ピン間にねじの頭部が位置するので、接続ピン間の沿面距離を小さくすることがあり、この結果、トラッキングが発生しやすいという問題がある。また、ねじの頭部を口金部材の外表面から突出させないようにしても、ねじの頭部と口金の外表面との間に水滴や塵などが介在すると、接続ピン間の絶縁性が低下することがあった。
【０００５】
本発明は、従来のランプソケットにも適合可能であってトラッキングの発生を抑制可能な環形ランプ用口金およびこの口金を有する環形蛍光ランプを提供することを目的とする。
【課題を解決するための手段】
【０００６】
請求項１に記載の環形ランプ用口金の発明は、それぞれ半筒状体からなる樹脂製の一対の口金部材と；一方の口金部材の外面にそれぞれ突設され、環形バルブの一端部から導出されているリード線に接続される第１の接続ピンおよび環形バルブの他端部から導出されているリード線に接続される第２の接続ピンと；第１および第２の接続ピンの中間の口金部材の外面に形成された凹部と；一対の口金部材が着脱自在に結合されるように一対の口金部材にそれぞれ設けられた係止部および被係止部からなる結合手段と；を具備していることを特徴とする。
【０００７】
環形バルブの一端部および他端部は、それぞれ電極が封装されている端部をいう。
【０００８】
第１の接続ピンと第２の接続ピンの間には、蛍光ランプの始動電圧およびランプ電圧が印加される。したがって、凹部を第１および第２の接続ピンの中間の口金部材の外面に形成するものである。
【０００９】
本発明によれば、第１および第２の接続ピン間の沿面は、凹部に含んだ口金部材の外表面に沿うので、当該接続ピン間の沿面距離は、凹部が形成されていないときよりも大きくなる。そして、一対の口金部材同士を結合させる係止部および被係止部を接続ピン間の沿面が阻害されない箇所に設けることができる。
【００１０】
請求項２に記載の環形ランプ用口金の発明は、それぞれ半筒状体からなる樹脂製の一対の口金部材と；一方の口金部材の外面にそれぞれ突設され、環形バルブの一端部から導出されているリード線に接続される第１の接続ピンおよび環形バルブの他端部から導出されているリード線に接続される第２の接続ピンと；第１および第２の接続ピンの中間の口金部材の外面に形成された第１の凹部と；接続ピン間であって一方の口金部材の略中間部に形成されているとともに、底面に接続ピン側からねじが挿入される挿入孔が設けられ、この挿入孔にねじが挿入されたときにねじの頭部が第１の凹部の底面よりも口金部材の内方に位置する深さを有している第２の凹部と；一対の口金部材が結合されるときに前記挿入孔に対向するねじ孔を有して他方の口金部材の内面に突設された凸部と；接続ピン側から前記挿入孔に挿入され凸部のねじ孔に螺合して一対の口金部材を結合させるねじと；を具備していることを特徴とする。
【００１１】
第２の凹部は、ねじの頭部がその底面に当接しているときに、ねじの頭部が内側面に接触しないようにする隙間が形成されているとよい。ねじの頭部が内側面に接触していると、接触部位および底面の距離分、第１および第２の接続ピン間の沿面距離が小さくなる。
【００１２】
本発明によれば、ねじを一方の口金部材の挿入孔に挿入して他方の口金部材のねじ孔に螺合することにより、一対の口金部材同士が結合される。そして、第１および第２の接続ピン間の沿面は、第１の凹部を含んだ口金部材の外表面に沿うので、当該接続ピン間の沿面距離は、第１の凹部が形成されていないときよりも大きくなる。このとき、ねじの頭部が第１の凹部の底面よりも口金部材の内方に位置するので、第１の凹部の底面とねじの頭部間の沿面距離が接続ピン間の中間部にねじが位置することによって第１および第２の接続ピン間の沿面距離が小さくなることを抑制する。すなわち、一対の口金部材同士を結合するねじは、第１および第２の接続ピン間の口金部材の外面に第１の凹部によって形成される沿面距離を確保することができる。
【００１３】
請求項３に記載の環形蛍光ランプの発明は、請求項１または２記載の環形ランプ用口金と；この環形ランプ用口金が両端部に跨るようにして配設され、両端部からそれぞれ電極に電気的に接続されているリード線が導出されている環形バルブと；を具備していることを特徴とする。
【００１４】
環形バルブは、環状の放電路を形成していればよく、その形状は問わないが、バルブが形成する環形状として、例えば円形、楕円形または四角形状等の多角形状などが挙げられる。
【００１５】
本発明によれば、環形蛍光ランプは、請求項１または２記載の環形ランプ用口金を有するので、当該口金でのトラッキングの発生が抑制される。
【発明の効果】
【００１６】
請求項１の発明によれば、第１および第２の接続ピンの中間に位置する凹部は、当該接続ピン間の沿面距離を大きくするので、当該接続ピン間の口金部材の外面の一部に水滴や塵などが付着しても、当該接続ピン間の絶縁性が大きく低下することを抑制でき、トラッキングの発生を抑制することができる。そして、一対の口金部材にそれぞれ設けられた係止部および被係止部により、一対の口金部材同士を着脱自在に結合させることができる。
【００１７】
請求項２の発明によれば、ねじによって一対の口金部材同士を結合させることができるとともに、当該ねじが第１および第２の接続ピン間の口金部材の外面に第１の凹部によって形成される沿面距離を確保することができるので、当該接続ピン間の口金部材の外面の一部に水滴や塵などが付着しても、トラッキングの発生を抑制することができる。
【００１８】
請求項３の発明によれば、請求項１または２記載の環形ランプ用口金を有するので、当該口金でのトラッキングの発生が抑制される環形蛍光ランプを提供することができる。
【発明を実施するための最良の形態】
【００１９】
以下、本発明の一実施の形態について、図面を参照して説明する。まず、本発明の第１の実施形態について説明する。
【００２０】
図１ないし図４は、本発明の第１の実施形態を示し、図１は環形ランプ用口金の斜視図、図２は一方の口金部材の概略下面図、図３は概略上面図、図４は図３のＩ−Ｉ方向の一部断面図である。
【００２１】
図１において、環形ランプ用口金１は、一対の口金部材２，３、接続ピン４、凹部５、結合手段としての係止部６および被係止部７を有して構成されている。一対の口金部材２，３は、合成樹脂製の筒状体をそれぞれ半筒状体に２分割して形成されている。そして、一方の口金部材２の側部周縁部には、係止部としての係止爪６，６が形成され、他方の口金部材３の側部周縁部には、被係止部としての開口７，７が形成されている。係止爪６，６を開口７，７の縁部に引掛けることにより、一対の口金部材２，３は、着脱自在に結合される。
【００２２】
結合された一対の口金部材２，３の両側面には、それぞれ環形バルブの挿入孔８が開口している。そして、一方の口金部材２の上面の中央部分には、矩形状の凹陥面９が形成されたランプソケット挿入部１０が設けられている。そして、凹陥面９の外面には、格子状に配列された４本の接続ピン４，…，４が突設されている。接続ピン４は、略円筒状に形成されている。
【００２３】
接続ピン４は、図２に示すように、環形バルブ１１の一端部１１ａから導出されているリード線１２ａ，１２ａに接続される第１の接続ピン４ａ，４ｂと、環形バルブ１１の他端部１１ｂから導出されているリード線１２ｂ，１２ｂに接続される第２の接続ピン４ｃ，４ｄとからなっている。接続ピン４は、リード線１２ａ，１２ｂを挿通した後、例えば先端部分をかしめることによりリード線１２ａ，１２ｂを接続している。
【００２４】
リード線１２ａ，１２ａは、環形バルブ１１の一端部１１ａに封装されているフィラメント電極１３ａの両端間に接続され、リード線１２ｂ，１２ｂは、環形バルブ１１の他端部１１ｂに封装されているフィラメント電極１３ｂの両端間に接続されている。第１の接続ピン４ａ，４ｂと第２の接続ピン４ｃ，４ｄとの間には、フィラメント電極１３ａ，１３ｂ間電圧、すなわち始動電圧およびランプ電圧が印加される。そして、第１の接続ピン４ａ，４ｂの両端間には、フィラメント電極１３ａの両端間電圧が印加され、第２の接続ピン４ｃ，４ｄの両端間には、フィラメント電極１３ｂの両端間電圧が印加される。
【００２５】
凹部５は、図３に示すように、第１の接続ピン４ａ，４ｂと第２の接続ピン４ｃ，４ｄの中間の一方の口金部材２の凹陥面９の外面にスリット状に形成されている。凹部５は、互いに対向している第１の接続ピン４ａ，４ｂと第２の接続ピン４ｃ，４ｄとの間に形成され、幅Ｗ１が１〜２ｍｍとなっている。また、長さＬ１は、例えば１２〜１７ｍｍであり、第１の接続ピン４ａ，４ｂと第２の接続ピン４ｃ，４ｄとの間を超えていることが好ましい。さらに、深さは１〜３ｍｍに形成されているが、可能な限り深く形成されているのが好ましい。そして、凹部５は、一定の幅を持つスリット状に形成されているので、図４に示すように、口金部材２の内方に直方体形状の突出壁１４を突出させている。
【００２６】
なお、凹部５の形状は、スリット状に限らず、円弧状やＳ字状など、特に限定されない。
【００２７】
次に、本発明の第１の実施形態の作用について述べる。
【００２８】
第１の接続ピン４ａ，４ｂと第２の接続ピン４ｃ，４ｄとの間の沿面は、図４に示すように、口金部材２の凹陥部９の外面から凹部５の一方の内側面５ａ、底面５ｂおよび他方の内側面５ｃ、さらに凹陥部９の外面となって凹部５に沿う。これにより、第１の接続ピン４ａ，４ｂと第２の接続ピン４ｃ，４ｄとの間は、凹陥部９に凹部５が形成されていないときよりも、沿面距離（絶縁距離）が大きくなり、電気絶縁性が大きくなっている。また、一対の口金部材２，３を結合させる係止爪６，６および開口７，７は、それぞれ側部周縁部に形成されているので、従来のようにねじがある場合に比べて、接続ピン４，４間の沿面距離に影響しない。
【００２９】
そして、第１の接続ピン４ａ，４ｂと第２の接続ピン４ｃ，４ｄとの間の凹陥部９の一部または凹部５に水滴や塵などが付着しても、沿面距離（絶縁距離）が大きくなっていることにより、電気絶縁性が大きく低下することが抑制される。したがって、第１の接続ピン４ａ，４ｂと第２の接続ピン４ｃ，４ｄとの間に始動電圧およびランプ電圧が印加されても、口金部材２の凹陥部９の外面にトラッキングが発生することが抑制される。
【００３０】
上述したように、第１の接続ピン４ａ，４ｂと第２の接続ピン４ｃ，４ｄとの間の口金部材２の外面に凹部５を形成することにより、トラッキングの発生を抑制することができ、環形ランプ用口金１での熱損傷や環形ランプの不点灯の発生などの不具合を防止することができる。そして、ランプソケット挿入部１０の凹陥部９の外面に凹部５を有するのみであるので、従来のランプソケットをランプソケット挿入部１０に取り付けられる。
【００３１】
次に、本発明の第２の実施形態について説明する。
【００３２】
図５および図６は、本発明の第２の実施形態を示し、図５は環形ランプ用口金であり、（ａ）はねじが挿入されていない状態の概略上面図、（ｂ）はねじが挿入された状態の概略上面図、図６は図５（ｂ）のＩＩ−ＩＩ方向の一部概略断面図である。なお、図３および図４と同一部分には同一符号を付して説明は省略する。
【００３３】
図５に示す環形ランプ用口金１５は、図１に示す環形ランプ用口金１において、第１の接続ピン４ａ，４ｂと第２の接続ピン４ｃ，４ｄの中間の一方の口金部材２の外面に凹部５と同様に形成された第１の凹部１６と、接続ピン４ａ，４ｂ，４ｃ，４ｄ間であって一方の口金部材２の略中間部に形成された円柱状の第２の凹部１７が形成されている。
【００３４】
そして、第２の凹部１７は、図５（ａ）に示すように、底面１７ｂにねじ１８が挿入される挿入孔１９が形成されている。そして、図５（ｂ）に示すように、ねじ１８が挿入孔１９に挿入されたとき、ねじ１８の頭部１８ａは、第２の凹部１７内に位置しているとともに、第２の凹部１７の側面１７ａと離間している。また、第２の凹部１７は、図６に示すように、ねじ１８の頭部１８ａが第２の凹部１７の底面１７ｂに当接しているときに、ねじ１８の頭部１８ａが第１の凹部１６の底面１６ｂよりも口金部材２の内方に位置する深さに形成されている。ねじ１８の頭部１８ａと第１の凹部１６の底面１６ｂの間の図中鉛直方向の距離は、例えば１〜２ｍｍとなっている。
【００３５】
そして、他方の口金部材３には、内面に前記挿入孔１９に対向するねじ孔２０を有する円柱状の凸部２１が突設されている。一対の口金部材２，３が結合されたときに、凸部２１の先端部２１ａは、第２の凹部１７の外壁面に当接または近接する大きさに形成されている。また、ねじ孔２０は、ねじ１８を完全に螺合できる深さを有している。
【００３６】
一対の口金部材２，３は、ねじ１８を接続ピン４側から第２の凹部１７の挿入孔１９に挿入し、ねじ１８の頭部１８ａが第２の凹部１７の底面１７ｂに当接するまで凸部２１のねじ孔２０に螺合することにより結合される。
【００３７】
なお、第２の凹部１７は、底面１７ｂが第１の凹部１６の底面１６ｂと同一面状に形成され、ねじ１８の頭部１８ａを挿入孔１９内に形成された当接面に当接させるようにしてもよい。このとき、ねじ１８の頭部１８ａが底面１７ｂよりも口金部材２の内方に位置するように挿入孔１９内に当接面が形成される。
【００３８】
次に、本発明の第２の実施形態の作用について述べる。
【００３９】
第１の接続ピン４ｂ（４ａ）と第２の接続ピン４ｄ（４ｃ）との間の沿面は、図５（ｂ）および図６に示すように、口金部材２の凹陥部９の外面から第１の凹部１６の一方の内側面１６ａ、底面１６ｂおよび他方の内側面１６ｃ、さらに凹陥部９の外面となって第１の凹部１６に沿う。これにより、第１の接続ピン４ｂ（４ａ）と第２の接続ピン４ｄ（４ｃ）との間は、凹陥部９に第１の凹部１６が形成されていないときよりも、沿面距離（絶縁距離）が大きくなり、電気絶縁性が大きくなっている。
【００４０】
また、第１の接続ピン４ｂ（４ａ）と第２の接続ピン４ｃ（４ｄ）との間の沿面は、口金部材２の凹陥部９の外面から第２の凹部１７の一方の内側面１７ａ、ねじ１８の頭部１８ａの当接部分を除く底面１７ｂおよび他方の内側面１７ｃ、さらに凹陥部９の外面となって第２の凹部１７に沿う。
【００４１】
そして、第２の凹部１７において、ねじ１８の頭部１８ａは、第１の凹部１６の底面１６ｂよりも口金部材２の内方に位置するので、第１の凹部１６の底面１６ｂと第２の凹部１７の底面１７ｂとの間の第２の凹部１７の両内側面の沿面距離でもって、ねじ１８の頭部１８ａの当接部分の沿面距離を相殺できる。すなわち、一対の口金部材２，３を結合させるねじ１８が介在していても、第１の接続ピン４ｂ（４ａ）と第２の接続ピン４ｃ（４ｄ）との間にも第１の凹部１６が設けられていることと同等になっている。こうして、第１の接続ピン４ｂ（４ａ）と第２の接続ピン４ｃ（４ｄ）との間は、凹陥部９に第１の凹部１６および第２の凹部１７が形成されていないときよりも、沿面距離（絶縁距離）が大きくなり、電気絶縁性が大きくなっている。
【００４２】
したがって、第１の接続ピン４ａ，４ｂと第２の接続ピン４ｃ，４ｄとの間の凹陥部９の一部または第１の凹部１６あるいは第２の凹部１７に水滴や塵などが付着しても、沿面距離（絶縁距離）が大きくなっていることにより、電気絶縁性が大きく低下することが抑制される。この結果、第１の接続ピン４ａ，４ｂと第２の接続ピン４ｃ，４ｄとの間に始動電圧およびランプ電圧が印加されても、口金部材２の凹陥部９の外面にトラッキングが発生することが抑制される。
【００４３】
上述したように、第１の接続ピン４ａ，４ｂと第２の接続ピン４ｃ，４ｄとの間の口金部材２の外面に第１の凹部１６を形成し、接続ピン４間の中間部において一対の口金部材２，３を結合させるねじ１８の頭部１８ａを第１の凹部１６の底面１６ｂよりも口金部材２の内方に位置させる第２の凹部１７を形成することにより、トラッキングの発生を抑制することができ、環形ランプ用口金１５での熱損傷や環形ランプの不点灯の発生などの不具合を防止することができる。
【００４４】
次に、本発明の第３の実施形態について説明する。
【００４５】
図７は、本発明の第３の実施形態を示す環形蛍光ランプの一部切り欠き正面図である。なお、図２および図５と同一部分には同一符号を付して説明は省略する。
【００４６】
図７に示す環形蛍光ランプ２２は、環形ランプ用口金１５が環形バルブ１１の両端部１１ａ，１１ｂに跨るようにして配設されている。第１の接続ピン４ａ，４ｂは、一端部１１ａに封装されている電極としてのフィラメント電極１３ａに電気的に接続されているリード線１２ａ，１２ａに接続され、第２の接続ピン４ｃ，４ｄは、他端部１１ｂに封装されている電極としてのフィラメント電極１３ｂに電気的に接続されているリード線１２ｂ，１２ｂに接続されている。
【００４７】
環形バルブ１１は、管外径１２〜２０ｍｍ、肉厚０．８〜１．５ｍｍのソーダライムガラスからなり、１本の直管形バルブを４箇所において略直角状に屈曲した略四角形状に形成され、内面には、例えば三波長発光形の蛍光体層２３が形成されている。また、環形バルブ１１の内部には、放電媒体として、水銀およびアルゴン（Ａｒ）、クリプトン（Ｋｒ）、ネオン（Ｎｅ）、キセノン（Ｘｅ）などの希ガスを単体または混合して封入している。
【００４８】
環形蛍光ランプ２２は、環形ランプ用口金１５を配設しているので、当該口金１５でのトラッキングの発生を抑制することができる。
【図面の簡単な説明】
【００４９】
【図１】本発明の第１の実施形態を示す環形ランプ用口金の斜視図。
【図２】同じく、一方の口金部材の概略下面図。
【図３】同じく、概略上面図。
【図４】同じく、図３のＩ−Ｉ方向の一部断面図。
【図５】本発明の第２の実施形態を示す環形ランプ用口金であり、（ａ）はねじが挿入されていない状態の概略上面図、（ｂ）はねじが挿入された状態の概略上面図。
【図６】同じく、図５（ｂ）のＩＩ−ＩＩ方向の一部概略断面図。
【図７】本発明の第３の実施形態を示す環形蛍光ランプの一部切り欠き正面図。
【符号の説明】
【００５０】
１，１５…環形ランプ用口金
２，３…一対の口金部材
４ａ，４ｂ…第１の接続ピン
４ｃ，４ｄ…第２の接続ピン
５…凹部
６…結合手段の係止部としての係止爪
７…結合手段の被係止部としての開口
１１…環形バルブ
１６…第１の凹部
１７…第２の凹部
１８…ねじ
２１…凸部
２２…環形蛍光ランプ
【図１】
2007103100.tif 000003
【図２】
2007103100.tif 000004
【図３】
2007103100.tif 000005
【図４】
2007103100.tif 000006
【図５】
2007103100.tif 000007
【図６】
2007103100.tif 000008
【図７】
2007103100.tif 000009